【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】
多値画像を最初の検索領域として入力する入力ステップと、
前記検索領域に対応する多値画像を、しきい値を用いて２値画像に変換する変換ステップと、
前記変換ステップで変換された２値画像に基づいて、領域を検索する領域検索ステップと、
前記領域検索ステップで検索された領域の情報を記憶手段に格納する格納ステップと、
前記格納ステップで格納された領域の情報に基づいて新たな検索領域を設定し、前記変換ステップと前記領域検索ステップと前記格納ステップとによる処理を繰り返す繰り返しステップと
を有することを特徴とする画像処理方法。
【請求項２】
前記領域検索ステップで検索される領域は、同一の背景色を有する領域に対応することを特徴とする請求項１に記載の画像処理方法。
【請求項３】
前記領域検索ステップで検索される領域は、所定面積以上の白画素或いは黒画素の固まりに基づいて検索されることを特徴とする請求項１に記載の画像処理方法。
【請求項４】
前記変換ステップでは、複数のしきい値を用いて、前記検索領域に対応する多値画像を２値画像に変換し、
前記領域検索ステップでは、前記変換された２値画像に基づいて、前記領域を検索することを特徴とする請求項１に記載の画像処理方法。
【請求項５】
前記複数のしきい値は、所定の間隔で設定されることを特徴とする請求項４に記載の画像処理方法。
【請求項６】
前記格納ステップで格納された領域の情報に基づいて、各領域の背面画素と表面画素とを判断し、適応的に２値化する適応２値化ステップを、更に有することを特徴とする請求項１に記載の画像処理方法。
【請求項７】
前記適応的に２値化された画像に対して文字認識処理を実行する文字認識ステップを、更に有することを特徴とする請求項６に記載の画像処理方法。
【請求項８】
前記適応２値化ステップで適応的に２値化されて生成された適応２値画像を解析し、属性ごとのブロックを抽出するブロック抽出ステップを、更に有することを特徴とする請求項６に記載の画像処理方法。
【請求項９】
前記ブロック抽出ステップで抽出されたブロックに対応する多値画像に基づいて、表面色と背面色とに関する色情報を求める色情報取得ステップを、更に有することを特徴とする請求項８に記載の画像処理方法。
【請求項１０】
前記属性は、テキスト、表、図、画像の少なくともいずれかを含むことを特徴とする請求項８に記載の画像処理方法。
【請求項１１】
前記適応２値化ステップでは、前記各領域における、しきい値未満の画素数としきい値以上の画素数とを比較し、当該比較の結果に基づいて、前記各領域の背面画素と表面画素を判断し、適応的に２値化することを特徴とする請求項６に記載の画像処理方法。
【請求項１２】
前記繰り返しステップでは、前記領域検索ステップで検索された領域のうち、最大の領域を前記新たな検索領域として、前記変換ステップと前記領域検索ステップと前記格納ステップとによる処理を繰り返すことを特徴とする請求項１に記載の画像処理方法。
【請求項１３】
前記入力ステップでは、カラー多値画像をグレー多値画像に変換し、当該変換されたグレー多値画像を前記多値画像として入力することを特徴とする請求項１に記載の画像処理方法。
【請求項１４】
多値画像を入力する入力ステップと、
前記入力された多値画像を、複数のしきい値を用いて複数の２値画像に変換する変換ステップと、
前記変換ステップで変換された複数の２値画像に基づいて、複数の領域を検索する領域検索ステップと、
前記領域検索ステップで検索された複数の領域の情報を、各領域の位置に基づいて関連付けて記憶手段に格納する格納ステップと
を有することを特徴とする画像処理方法。
【請求項１５】
多値画像を最初の検索領域として入力する入力手段と、
前記検索領域に対応する多値画像を、しきい値を用いて２値画像に変換する変換手段と、
前記変換手段で変換された２値画像に基づいて、領域を検索する領域検索手段と、
前記領域検索手段で検索された領域の情報を記憶手段に格納する格納手段と、
前記領域検索手段で検索された領域の情報に基づいて新たな検索領域を設定し、前記変換手段と前記領域検索手段と前記格納手段とによる処理を繰り返す繰り返し手段と
を有することを特徴とする画像処理装置。
【請求項１６】
多値画像を入力する入力手段と、
前記入力された多値画像を、複数のしきい値を用いて複数の２値画像に変換する変換手段と、
前記変換手段で変換された複数の２値画像に基づいて、複数の領域を検索する領域検索手段と、
前記領域検索手段で検索された複数の領域の情報を、各領域の位置に基づいて関連付けて記憶手段に格納する格納手段と
を有することを特徴とする画像処理装置。
【請求項１７】
多値画像を最初の検索領域として入力する入力ステップと、
前記検索領域に対応する多値画像を、しきい値を用いて２値画像に変換する変換ステップと、
前記変換ステップで変換された２値画像に基づいて、領域を検索する領域検索ステップと、
前記領域検索ステップで検索された領域の情報を記憶手段に格納する格納ステップと、
前記領域検索ステップで検索された領域の情報に基づいて新たな検索領域を設定し、前記変換ステップと前記領域検索ステップと前記格納ステップとによる処理を繰り返す繰り返しステップとの各ステップを画像処理装置に実行させるための制御プログラムを格納したコンピュータ読取可能な記憶媒体。
【請求項１８】
多値画像を入力する入力ステップと、
前記入力された多値画像を、複数のしきい値を用いて複数の２値画像に変換する変換ステップと、
前記変換ステップで変換された複数の２値画像に基づいて、複数の領域を検索する領域検索ステップと、
前記領域検索ステップで検索された複数の領域の情報を、各領域の位置に基づいて関連付けて記憶手段に格納する格納ステップとの各ステップを画像処理装置に実行させるための制御プログラムを格納したコンピュータ読取可能な記憶媒体。
【手続補正２】
【補正対象書類名】明細書
【補正対象項目名】０００６
【補正方法】変更
【補正の内容】
【０００６】
【課題を解決するための手段】
上記課題を解決するために、本発明の画像処理方法は、多値画像を最初の検索領域として入力する入力ステップと、前記検索領域に対応する多値画像を、しきい値を用いて２値画像に変換する変換ステップと、前記変換ステップで変換された２値画像に基づいて、領域を検索する領域検索ステップと、前記領域検索ステップで検索された領域の情報を記憶手段に格納する格納ステップと、前記格納ステップで格納された領域の情報に基づいて新たな検索領域を設定し、前記変換ステップと前記領域検索ステップと前記格納ステップとによる処理を繰り返す繰り返しステップとを有することを特徴とする。
【手続補正３】
【補正対象書類名】明細書
【補正対象項目名】０００７
【補正方法】変更
【補正の内容】
【０００７】
上記課題を解決するために、本発明の画像処理方法は、多値画像を入力する入力ステップと、前記入力された多値画像を、複数のしきい値を用いて複数の２値画像に変換する変換ステップと、前記変換ステップで変換された複数の２値画像に基づいて、複数の領域を検索する領域検索ステップと、前記領域検索ステップで検索された複数の領域の情報を、各領域の位置に基づいて関連付けて記憶手段に格納する格納ステップとを有することを特徴とする。
【手続補正４】
【補正対象書類名】明細書
【補正対象項目名】０００８
【補正方法】変更
【補正の内容】
【０００８】
上記課題を解決するために、本発明の画像処理装置は、多値画像を最初の検索領域として入力する入力手段と、前記検索領域に対応する多値画像を、しきい値を用いて２値画像に変換する変換手段と、前記変換手段で変換された２値画像に基づいて、領域を検索する領域検索手段と、前記領域検索手段で検索された領域の情報を記憶手段に格納する格納手段と、前記領域検索手段で検索された領域の情報に基づいて新たな検索領域を設定し、前記変換手段と前記領域検索手段と前記格納手段とによる処理を繰り返す繰り返し手段とを有することを特徴とする。
【手続補正５】
【補正対象書類名】明細書
【補正対象項目名】０００９
【補正方法】変更
【補正の内容】
【０００９】
上記課題を解決するために、本発明の画像処理装置は、多値画像を入力する入力手段と、前記入力された多値画像を、複数のしきい値を用いて複数の２値画像に変換する変換手段と、前記変換手段で変換された複数の２値画像に基づいて、複数の領域を検索する領域検索手段と、前記領域検索手段で検索された複数の領域の情報を、各領域の位置に基づいて関連付けて記憶手段に格納する格納手段とを有することを特徴とする。
【手続補正６】
【補正対象書類名】明細書
【補正対象項目名】００１０
【補正方法】変更
【補正の内容】
【００１０】
上記課題を解決するために、本発明のコンピュータ読取可能な記憶媒体は、多値画像を最初の検索領域として入力する入力ステップと、前記検索領域に対応する多値画像を、しきい値を用いて２値画像に変換する変換ステップと、前記変換ステップで変換された２値画像に基づいて、領域を検索する領域検索ステップと、前記領域検索ステップで検索された領域の情報を記憶手段に格納する格納ステップと、前記領域検索ステップで検索された領域の情報に基づいて新たな検索領域を設定し、前記変換ステップと前記領域検索ステップと前記格納ステップとによる処理を繰り返す繰り返しステップとの各ステップを画像処理装置に実行させるための制御プログラムを格納する。
【手続補正７】
【補正対象書類名】明細書
【補正対象項目名】００１１
【補正方法】変更
【補正の内容】
【００１１】
上記課題を解決するために、本発明のコンピュータ読取可能な記憶媒体は、多値画像を入力する入力ステップと、前記入力された多値画像を、複数のしきい値を用いて複数の２値画像に変換する変換ステップと、前記変換ステップで変換された複数の２値画像に基づいて、複数の領域を検索する領域検索ステップと、前記領域検索ステップで検索された複数の領域の情報を、各領域の位置に基づいて関連付けて記憶手段に格納する格納ステップとの各ステップを画像処理装置に実行させるための制御プログラムを格納する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】